(57)【特許請求の範囲】
【請求項１】
前後方向に折り畳んで形成したシートを上下に複数重ね合わせると共に、該シートに隣接する上下の他のシートの一部を、それぞれ上記シートの折り畳み部に挟み込んで重ね合わせることにより形成したシート体を収納する、矩形状の天井部よりなる収納容器と、該収納容器の天井部に設けた、シート取り出し口部とよりなり、
上記シート取り出し口部は、それぞれ放射状に伸びる、左後側方向に直線状に延びる左後側の長孔部と、右後側方向に直線状に延びる右後側の長孔部と、右前側方向に直線状に延びる右前側の長孔部と、左前側方向に直線状に延びる左前側の長孔部と、これら各長孔部の基部が連結されて形成された中央開口部とよりなり、
上記左後側の長孔部と上記右前側の長孔部とは、該各長孔部の長手方向に延びる各中心軸線が、上記天井部上の所望の位置の点を通る、長手方向となる左右方向に対して３２度の傾斜角度の左後側から右前側へ向かう方向の一方の仮想線を挟む位置に設けられ、
上記右後側の長孔部と上記左前側の長孔部とは、該各長孔部の長手方向に延びる各中心軸線が、上記所望の位置の点を通る、左右方向に対して３２度の傾斜角度の右後側から左前側へ向かう方向の他方の仮想線を挟む位置に設けられ、
上記左後側の長孔部及び上記右後側の長孔部は、それぞれ上記各仮想線に対して、後側に離間する位置に設けられると共に、
上記右前側の長孔部及び上記左前側の長孔部は、それぞれ上記各仮想線に対して、前側に離間する位置に設けられることを特徴とするシート収納容器。
【請求項２】
上記左後側の長孔部と右後側の長孔部は、該各長孔部の長手方向の上記点側の縁部が、上記一方及び他方の仮想線に一致、または、後方に位置し、
上記右前側の長孔部と左前側の長孔部とは、該各長孔部の長手方向の上記点側の縁部が、上記一方及び他方の仮想線に一致、または、前方に位置することを特徴とする請求項１に記載のシート収納容器。
【請求項３】
上記天井部上の所望の位置の点は、上記天井部の左右方向及び前後方向における中心点であることを特徴とする請求項１または２に記載のシート収納容器。
【請求項４】
上記左後側の長孔部の基部の縁部と上記右後側の長孔部の基部の縁部とが所望の曲率半径の円弧で連結された後側の連結縁部と、
上記左前側の長孔部の基部の縁部と上記右前側の長孔部の基部の縁部とが所望の曲率半径の円弧で連結された前側の連結縁部とには、
上記中央開口部の前後方向の離間距離を狭めるための突出縁部がそれぞれ形成されていることを特徴とする請求項１、２または３に記載のシート収納容器。
【請求項５】
上記左後側の長孔部の基部の縁部と上記右後側の長孔部の基部の縁部とが連結された後側の連結縁部と、上記左前側の長孔部の基部の縁部と上記右前側の長孔部の基部の縁部とが連結された前側の連結縁部とには、上記中央開口部の前後方向の離間距離を狭めるための突出縁部がそれぞれ形成され、
該中央開口部の前後方向の距離は、８〜１０ｍｍに形成され、
上記左後側の長孔部の基部の縁部と上記左前側の長孔部の基部の縁部とが連結された左側の連結縁部と、上記右後側の長孔部の基部の縁部と上記右前側の長孔部の基部の縁部とが連結された右側の連結縁部との距離は、３〜５ｍｍに形成されることを特徴とする請求項１、２または３に記載のシート収納容器。
【発明の詳細な説明】
【技術分野】
【０００１】
本発明はシート収納容器、特に、使い捨てのふきん等のウエットタイプの複数のシートを収納し、該シートを１枚１枚外部に取り出して使用するポップアップ式のシート収納容器に関するものである。
【背景技術】
【０００２】
例えば、食品工場における食品容器などの拭き取りや、調理用具の拭き取りや、手指の拭き取りとして、使い捨ての不織布製のふきんや、ウエットティッシュや、除菌シートなどのシートがある。かかる、シートには、アルコール液などの清浄液などの液体が含浸した不織布、布や紙などのウエットタイプのシート、清浄液などの液体が含浸しないドライタイプのシートがある。
【０００３】
そして、従来の上記シートを収納する収納容器ａは、例えば、図１４に示すように、上面開口の直方体状の容器本体ｂと、該容器本体ｂの上面開口を塞ぐ天井蓋ｃと、該天井蓋ｃの中央部に形成された長楕円形状のシート取出し口部ｄと、該シート取出し口部ｄを塞ぐ、開閉蓋ｅとよりなる。
【０００４】
また、上記シート収納容器ａに収納される複数のシートｆが重ねられたシート体ｇは、例えば、図１５に示すように、略正方形に近い矩形状のシートを、前後方向の中央において左右方向に延びる折り畳み線ｈで前後方向に二つ折りに折り畳んで、左右方向に長い矩形状のシートｆを形成し、図１６に示すように、上記シートｆを、上下に複数重ね合せると共に、該シートｆに隣接する上下の他のシートの一部ｆ１、ｆ２を、それぞれ上記シートｆの折り畳み部分に挟み込んで重ね合わせることにより形成され、全体形状が略直方体状に形成されている。
【０００５】
そして、例えば、食品工場における食品容器の拭き取りなどに使用される上記シート収納容器ａにおいては、上記容器本体ｂの上記天井蓋ｃを開け、最初に、ドライタイプのシートｆが複数重ね合されたシート体ｇを上記収納容器ｂ内に収納し、その後に上記容器本体ｂに所望量のアルコール液を入れ、上記天井蓋ｃを閉め、底に貯まったアルコールにより、上記シート体ｇ全体にアルコールを含浸させるようにする。
【０００６】
そして、上記シートｆを外部に取り出さない時には、上記容器本体ｂ内のシート体ｇが乾燥しないよう開閉蓋ｅを閉じる、また、上記シートｆを外部に取り出す時には、上記開閉蓋ｅを開け、上記容器本体ｂ内の最上部のシート１枚を、上記シート取り出し口部ｄを介して、外部に引き出すようにする。
【０００７】
この時、上記外部に引き出される最上部のシートは、下に重ね合わされた他のシートの一部を、上記最上部のシートの折り畳み部分に挟み込んでいるので、下の他のシートの一部も一緒に、上記シート取り出し口部ｄから引き出される。
【０００８】
そして、上記最上部のシートの全体が上記シート取り出し口部ｄから取り出された時に、下の他のシートの一部との挟み込みが解除されるので、上記下の他のシートはそれ以上外部に引き出されることなく、該下の他のシートの一部のみを上記取り出し口部ｄから外部に引き出した状態とすることができ、次にシートを引き出す時に、取り出しやすくできるようになる。
【０００９】
このような収納容器としては、例えば、特許文献１がある。
【先行技術文献】
【特許文献】
【００１０】
【特許文献１】特開２００８−１６２６３８号公報
【発明の概要】
【発明が解決しようとする課題】
【００１１】
しかしながら、上記従来のシート収納容器ａのシート取り出し口部ｄが大きく、また、最上部のシートとその下のシートが濡れているので、互いに密着して、最上部のシートを容器本体外部に取り出す際に、下のシートの全体も一緒に容器本体外部に取り出されてしまうことが多かった。
【００１２】
そこで、本発明者は、シート取り出し口部の形状に関して、種々実験、検討したところ、下のシート全体も容器本体外部に取り出されない形状を見出した。
【課題を解決するための手段】
【００１３】
本発明のシート収納容器は、前後方向に折り畳んで形成したシートを上下に複数重ね合わせると共に、該シートに隣接する上下の他のシートの一部を、それぞれ上記シートの折り畳み部に挟み込んで重ね合わせることにより形成したシート体を収納する、矩形状の天井部よりなる収納容器と、該収納容器の天井部に設けた、シート取り出し口部とよりなり、上記シート取り出し口部は、それぞれ放射状に伸びる、左後側方向に直線状に延びる左後側の長孔部と、右後側方向に直線状に延びる右後側の長孔部と、右前側方向に直線状に延びる右前側の長孔部と、左前側方向に直線状に延びる左前側の長孔部と、これら各長孔部の基部が連結されて形成された中央開口部とよりなり、上記左後側の長孔部と上記右前側の長孔部とは、該各長孔部の長手方向に延びる各中心軸線が、上記天井部上の所望の位置の点を通る、長手方向となる左右方向に対して３２度の傾斜角度の左後側から右前側へ向かう方向の一方の仮想線を挟む位置に設けられ、上記右後側の長孔部と上記左前側の長孔部とは、該各長孔部の長手方向に延びる各中心軸線が、上記所望の位置の点を通る、左右方向に対して３２度の傾斜角度の右後側から左前側へ向かう方向の他方の仮想線を挟む位置に設けられ、上記左後側の長孔部及び上記右後側の長孔部は、それぞれ上記各仮想線に対して、後側に離間する位置に設けられると共に、上記右前側の長孔部及び上記左前側の長孔部は、それぞれ上記各仮想線に対して、前側に離間する位置に設けられることを特徴とする。
【００１４】
また、上記左後側の長孔部と右後側の長孔部は、該各長孔部の長手方向の上記点側の縁部が、上記一方及び他方の仮想線に一致、または、後方に位置し、上記右前側の長孔部と左前側の長孔部とは、該各長孔部の長手方向の上記点側の縁部が、上記一方及び他方の仮想線に一致、または、前方に位置することを特徴とする。
【００１５】
また、上記天井部上の所望の位置の点は、上記天井部の左右方向及び前後方向における中心点であることを特徴とする。
【００１６】
また、上記左後側の長孔部の基部の縁部と上記右後側の長孔部の基部の縁部とが所望の曲率半径の円弧で連結された後側の連結縁部と、上記左前側の長孔部の基部の縁部と上記右前側の長孔部の基部の縁部とが所望の曲率半径の円弧で連結された前側の連結縁部とには、上記中央開口部の前後方向の離間距離を狭めるための突出縁部がそれぞれ形成されていることを特徴とする。また、上記左後側の長孔部の基部の縁部と上記右後側の長孔部の基部の縁部とが連結された後側の連結縁部と、上記左前側の長孔部の基部の縁部と上記右前側の長孔部の基部の縁部とが連結された前側の連結縁部とには、上記中央開口部の前後方向の離間距離を狭めるための突出縁部がそれぞれ形成され、該中央開口部の前後方向の距離は、８〜１０ｍｍに形成され、上記左後側の長孔部の基部の縁部と上記左前側の長孔部の基部の縁部とが連結された左側の連結縁部と、上記右後側の長孔部の基部の縁部と上記右前側の長孔部の基部の縁部とが連結された右側の連結縁部との距離は、３〜５ｍｍに形成されることを特徴とする。
【発明の効果】
【００１７】
本発明のシート収納容器によれば、最上部のシートのみを容器から取り出すことができ、その下のシートの全体が、取り出されないようにでき、シートが２枚以上重なって取り出されることがないようになる。
【図面の簡単な説明】
【００１８】
【図１】本発明のシート収納容器の斜視図である。
【図２】該シート収納容器の平面図である。
【図３】図２のＡ−Ａ線断面図である。
【図４】開口部の説明用拡大図である。
【図５】開口部の説明用拡大図である。
【図６】本発明のシート収納容器のシートの取り出しを説明する図である。
【図７】本発明のシート収納容器のシートの取り出しを説明する図である。
【図８】本発明のシート収納容器のシートの取り出しを説明する図である。
【図９】本発明のシート収納容器のシートの取り出しを説明する図である。
【図１０】本発明のシート収納容器のシートの取り出しを説明する図である。
【図１１】本発明のシート収納容器のシートの取り出しを説明する図である。
【図１２】本発明のシート収納容器の他の実施例の開口部の要部の拡大断面図である。
【図１３】本発明のシート収納容器の他の実施例の開口部の拡大平面図である。
【図１４】従来のシート収納容器の斜視図である。
【図１５】折り畳まれたシートの斜視図である。
【図１６】シート体を収納したシート収納容器の縦断側面図である。
【発明を実施するための形態】
【００１９】
以下、図面によって本発明の実施例を説明する。
【実施例１】
【００２０】
図１〜図３は、例えば、半透明のプラスチック製からなる本発明のシート収納容器の収納容器１を示し、該収納容器１は、例えば、上面開口の略直方体状の容器本体２と、該容器本体２の上面開口部を開閉自在に塞ぐ、上記収納容器１の天井部を形成する天井蓋３と、該天井蓋３の中央部に設けたシート取出し口部４と、該シート取出し口部４を開閉自在に塞ぐ開閉蓋５とよりなる。
【００２１】
なお、上記容器本体２は、例えば、縦（前後方向）１２３ｍｍ、横（左右方向）２１４ｍｍ、高さ１０５ｍｍである。
【００２２】
また、上記容器本体２と上記天井蓋３を構成する壁の厚みは例えば２ｍｍであり、上記開閉蓋５を構成する壁の厚みは例えば１．５ｍｍである。
【００２３】
上記容器本体２は、上記シート体ｇを収納する容器であり、該容器本体２の底板形状は、上記シート体ｇが収納できると共に、該容器本体２内で、上記シート体ｇが大きく移動しないように、上記矩形状のシートｆの大きさと略同じ、或いは若干大きい矩形状に形成されている。
【００２４】
なお、上記二つ折りにされた矩形状のシートｆは、例えば、縦１１０ｍｍ、横２１０ｍｍである。
【００２５】
上記天井蓋３は、矩形状の天板３ａと、該天板３ａの略全周縁に連ねて、下方に延びて設けられた側板３ｂとよりなり、該側板３ｂの下部は、前記容器本体２の上端に嵌合するように形成されている。
【００２６】
また、上記容器本体２の後壁２ａの上端と、上記天井蓋３の後側の側板の下端とは連結部２ｂにより、折り曲がり自在に連結され、上記天井蓋３が、上記容器本体２に対して開閉自在に設けられている。
【００２７】
なお、３ｃは、上記側板３ｂの前側の側板の中央部下端から、下方に延びて設けられた矩形状の取っ手部であり、該取っ手部３ｃを斜め手前上方に引っ張ることにより、上記天井蓋３と上記容器本体２との嵌合を解除して、上記天井蓋３を開けられるように形成されている。
【００２８】
また、天井蓋３の中央部は、例えば、円形状の凹部６が形成され、該凹部６の底部中央に、上記取出し口部４が形成されている。
【００２９】
上記凹部の深さは例えば、８ｍｍである。
【００３０】
なお、上記凹部６は、後述するように、上記容器本体２外部に一部引き出されたシート部分を収納できる空間を有する。
【００３１】
また、上記開閉蓋５は、上記凹部６を塞ぐ、円形状の板部５ａと、該板部５ａと上記天井蓋とを連結する連結板部５ｂとにより形成され、上記開閉蓋５により、上記一部が容器本体２外部に取り出された状態のシートの液体を乾燥させないように、該凹部６を塞ぐように形成されている。
【００３２】
上記シート取出し口４は、図２に示すように、上記収納容器１（天井蓋３）の左右方向及び前後方向における中心部に形成されたＸ状の開口部７と、上記開口部７の縁に沿って上方に立ち上がる縁部８とよりなり、該縁部８は、例えば、厚さ２ｍｍ、（天井蓋下面からの）高さ５ｍｍである。
【００３３】
そして、上記Ｘ状の開口部７は、図４に示すように、上記天井蓋３の左右方向に対して、それぞれ所望の角度、例えば、それぞれ斜め３０度〜４５度、好ましくは３２度傾斜して放射状に伸びる、４つの左後側に斜めに延びる左後側の長孔部７ａと、右後側に斜めに延びる右後側の長孔部７ｂと、右前側に斜めに延びる右前側の長孔部７ｃと、左前側に斜めに延びる右前側の長孔部７ｄと、これら各長孔部７ａ、７ｂ、７ｃ、７ｄの基部が連結されて形成された中央開口部７ｅとよりなる。
【００３４】
なお、上記各長孔部７ａ、７ｂ、７ｃ、７ｄの基部の縁が連結される連結縁部分９ａ、９ｂ、９ｃ、９ｄは、それぞれ角がなく滑らかに湾曲して連結されている。
【００３５】
また、上記各長孔部７ａ、７ｂ、７ｃ、７ｄは、それぞれ略同形状であるのが好ましく、例えば、長さＬ１が１１ｍｍ、幅Ｌ２が１．４ｍｍ〜３．６ｍｍ、好ましくは２ｍｍの略直線状の長孔であり、先端部は円弧状に形成されている。また、かかる場合、対向する上記左後側の長孔部７ａの基部と上記右前側の長孔部７ｃの基部との距離Ｌ３と、対向する上記右後側の長孔部７ｂの基部と上記左前側の長孔部７ｄとの距離Ｌ４は、それぞれ所望の距離、例えば、１０ｍｍだけ離間して設けられている。
【００３６】
また、上記左後側の長孔部７ａの基部の縁部と上記右後側の長孔部７ｂの基部の縁部とが連結された後側の連結縁部９ａと、上記右前側の長孔部７ｃの基部の縁部と上記左前側の長孔部７ｄの基部の縁部とが連結された前側の連結縁部９ｃは、例えば、それぞれ所望の曲率半径の円弧で形成され、その曲率半径は、例えば、３ｍｍである。
【００３７】
また、上記右後側の長孔部７ｂの基部の縁部と上記右前側の長孔部７ｃの基部の縁部とが連結された右側の連結縁部９ｂと、上記左後側の長孔部７ａの基部の縁部と上記左前側の長孔部７ｄの基部の縁部とが連結された左側の連結縁部９ｄも、例えば、それぞれ所望の曲率半径の円弧で形成され、その曲率半径は、例えば、１０．５ｍｍである。
【００３８】
また、上記前後左右の４つの連結縁部９ａ、９ｂ、９ｃ、９ｄのうち、上記後側の連結縁部９ａと、上記前側の連結縁部９ｃとには、それぞれ、上記開口部７の中心点側に向かって更に突出した突出縁部１０ａ、１０ｂが形成され、該突出縁部１０ａ、１０ｂにより、上記開口部７の中央開口部７ｅの前後方向の離間距離を所望の距離となるよう調整するようにする。
【００３９】
なお、上記突出縁部１０ａ、１０ｂにより離間距離が調整された、上記中央開口部７ｅの前後方向の所望の離間距離Ｌ５は、例えば、８〜１０ｍｍ、好ましくは、８．４ｍｍであり、上記各突出縁部１０ａ、１０ｂは、例えば、上記連結縁部９ａ、９ｃの中心縁から突出した、突出長さが約２ｍｍで、曲率半径が２ｍｍの円弧である。
【００４０】
また、上記左後側の長孔部７ａと上記左前側の長孔部７ｄとが連結された左側の連結縁部９ｄと、上記右後側の長孔部７ｂと上記右前側の長孔部７ｄとが連結された右側の連結縁部９ｂとの所望の離間距離Ｌ６は、例えば、３．０〜５．０ｍｍ、好ましくは、３．５ｍｍである。
【００４１】
また、図５に示すように、上記左後側の長孔部７ａと上記右後側の長孔部７ｂとは、上記各長孔部７ａ、７ｂの長手方向に延びる各中心軸線１１ａ、１１ｂが、上記天井蓋３の所望の位置の点１２、例えば、上記天井蓋３（収納容器１）の左右方向及び前後方向における中心点１２を通る、左右方向に対して、所望の傾斜角度、例えば、３２度の傾斜角度の左後側から右前側に向かう方向の一方の仮想線１３と、左右方向に対して、所望の傾斜角度、例えば、３２度の傾斜角度の右後側から左前側に向かう方向の他方の仮想線１４に対して、それぞれ後方に、所望の距離Ｌ７、Ｌ８、例えば、それぞれ０．７〜１．８ｍｍ、好ましくは１ｍｍだけ離間して、位置するように設けられる。
【００４２】
また、上記右前側の長孔部７ｃと上記左前側の長孔部７ｄとは、上記各長孔部７ｃ、７ｄの長手方向の各中心軸線１１ｃ、１１ｄが、上記一方及び他方の仮想線１３、１４に対して、それぞれ前方に、所望の距離Ｌ９、Ｌ１０、例えば、それぞれ０．７〜１．８ｍｍ、好ましくは１ｍｍだけ離間して、位置するように設けられている。
【００４３】
即ち、対向する上記左後側の長孔部７ａと上記右前側の長孔７ｃとは、上記各長孔部７ａ、７ｃの長手方向に延びる各中心軸線１１ａ、１１ｃが、上記一方の仮想線１３を挟む位置に設けられると共に、該一方の仮想線１３からそれぞれ所望の距離離間する位置に設けられ、また、上記左後側の長孔部７ａは、上記一方の仮想線１３に対して後方に位置し、上記右前側の長孔部７ｃは、上記一方の仮想線１３に対して前方に位置するように設けられる。
【００４４】
また、対向する上記右後側の長孔部７ｂと上記左前側の長孔７ｄとは、上記各長孔部７ｂ、７ｄの長手方向に延びる各中心軸線１１ｂ、１１ｄが、上記他方の仮想線１４を挟む位置に設けられると共に、該他方の仮想線１４からそれぞれ所望の距離離間する位置に設けられ、また、上記右後側の長孔部７ｂは、上記他方の仮想線１４に対して後方に位置し、上記左前側の長孔部７ｄは、上記他方の仮想線１４に対して前方に位置するように設けられる。
【００４５】
なお、図５に示すように、上記左後側の長孔部７ａと右後側の長孔部７ｂとは、上記各長孔部７ａ、７ｂの長手方向の上記中心点１２側の縁部１５ａ、１５ｂが、上記一方及び他方の仮想線１３、１４に一致、または、上記一方及び他方の仮想線１３、１４よりも所望の距離だけ後方に位置し、また、上記右前側の長孔部７ｃと上記左前側の長孔部７ｄとは、上記各長孔部７ｃ、７ｄの長手方向の上記中心側の縁部１５ｃ、１５ｄが、上記一方及び他方の仮想線１３、１４に一致、または、上記一方及び他方の仮想線１３、１４よりも所望の距離だけ前方に位置することが好ましい。
【００４６】
また、上記Ｘ状の開口部７は、上記所望の位置の点（中心点１２）を通る左右方向に延びる線に対して、線対称であり、かつ、該所望の位置の点（中心点１２）を通る前後方向に延びる線に対して線対称であることが好ましい。
【００４７】
本発明のシート収納容器は、上記のような構成であるから、上記容器本体２から天井蓋３を開け、例えば、ドライタイプのシートにより形成されたシート体ｇを収納し、その後に容器本体２の底部に所望量のアルコールを入れ、上記天井蓋３を閉め、底に貯まったアルコールにより、上記シート体ｇ全体にアルコールを含浸させるようにする。
【００４８】
そして、シートｆを取り出さない時には、容器本体２内のシートｆが乾燥しないように、開閉蓋５を閉じる。
【００４９】
また、シートｆと取り出す時には、上記開閉蓋５を開け、例えば、上記開口部７に指を入れて、容器本体２内のシート体ｇの最上部のシート１６を、上記開口部７を介して、容器本体２外部に引き出すようにする。
【００５０】
上記最上部のシート１６の引き出しに伴い、図６に示すように、上記最上部のシート１６の折り畳み部分に、一部が挟み込まれたその下のシート１７も一緒に上記開口部７を介して、容器本体２外部に引き出され、図７に示すように、最上部のシート１６全体が上記開口部７から取り出された時に、下のシート１７との挟み込みが解除されるようになる。
【００５１】
ここで、含浸したアルコールにより、最上部のシート１６と、その下のシート１７が密着している場合があるが、図７に示すように、下のシート１７が上記突出縁部１０ａに接触して、その抵抗により、下のシート１７の引き出しが阻まれ、下のシート１７の一部のみが上記容器本体２外部に引き出された状態で、下のシート１７の全体が容器本体２外部に引き出されることなく、図８に示すように、上記最上部のシート１６とその下のシート１７とを分離できるようになる。
【００５２】
また、対向する上記左後側の長孔部７ａと上記右前側の長孔部７ｃとが、対応する上記一方の仮想線１３を挟んで、互い違いにずれて設けられると共に、対向する上記右後側の長孔部７ｂと上記左前側の長孔部７ｄとが、対応する上記他方の仮想線１４を挟んで、互い違いにずれて設けられているので、上記突出縁部１０ａの接触による抵抗に加えて、上記下のシート１７が、上記各対向する長孔部の互い違いの縁部に挟まれて、その抵抗により、下のシート１７の引き出しが阻まれ、上記下のシート１７の一部のみが上記容器本体２外部に引き出された状態で、上記下のシート１７の全体が容器本体２外部に引き出されることなく、上記最上部のシート１６とその下のシート１７とを分離できるようになる。
【００５３】
なお、図６〜図１１において、実際のシートは密着しているが、密着したシートの位置関係が分かり易いように、各シートが離間した状態で表している。
【００５４】
そして、次に、下のシート１７を取り出す時は、上記容器本体２から外部に露出したシート部分を引き出し、この次のシート１７の引き出しに伴い、図９に示すように、上記下のシート１７の折り畳み部分に、一部が挟み込まれたその下の他のシート１８も一緒に上記開口部７を介して、容器本体２外部に引き出され、図１０に示すように、下のシート１７全体が上記開口部７から取り出された時に、更に下のシート１８との挟み込みが解除されるようになる。
【００５５】
ここで、上記と同様に、含浸したアルコールにより、下のシート１７と、その更に下のシート１８が密着している場合があるが、図１０に示すように、更に下のシート１８が上記突出縁部１０ｂに接触して、その抵抗により、更に下のシート１８の引き出しが阻まれ、更に下のシート１８の一部のみが上記容器本体２外部に引き出された状態で、更に下のシート１８の全体が容器本体２外部に引き出されることなく、図１１に示すように、上記下のシート１７とその下のシート１８とを分離できるようになる。
【００５６】
以上のように、上記突出縁部１０ａ、１０ｂにより、上記開口部７の前後方向の離間距離を調整するので、上記開口部７の大きさをある程度大きくすることができ、従って、シートを容器本体外部に取り出し易くすると共に、上記突出縁部１０ａ、１０ｂにより、上記開口部の前後方向の間隔を狭め、最上部のシート１６の取出しに伴って、下のシート１７全体が容器本体外部に取り出されてしまうことを防止できるようになる。
【００５７】
また、上記対向する長孔部を、上記仮想線を境に、互い違いにずらすことにより、下のシート全体が容器本体２外部に取り出されないようにしたので、上記開口部７の大きさをある程度大きくしても、下のシート全体が容器本体２外部に取り出されないようになる。
【００５８】
なお、上記容器本体２は、立方体状であってもよい。
【００５９】
また、本発明では、上記容器本体２の長手方向を左右方向とし、それに直交する方向を前後方向としたが、上記容器の長手方向を前後方向とし、それに直交する方向を左右方向としてもよい。
【００６０】
また、上記容器本体内に挿入される、シート体のシートの折り畳み方向は、上記連結縁部に突出縁部が設けられる方向と一致するのが好ましい。
【００６１】
また、上記シート取出し口４は、縁部８を省略してもよい。但し、縁部８があれば、シートの外部への取り出しの際に、該縁部８がガイドとなって、シートを取り出し易くなる。
【００６２】
また、上記各長孔部の長さや幅の形状は、異なってもよい。また、左右方向に対する各長孔部の傾斜角度が異なってもよい。また、多少湾曲していてもよい。
【００６３】
また、図１２及び図１３に示すように、上記開口部７の縁部８の内周面を、その断面が凸状となるように形成して、上記シートｆとの接触面積や接触圧を調整するようにしてもよい。なお、上記凸状からなる凸部１９は、例えば、中心側に突出する、上下方向幅１．５ｍｍ、突出長さ０．７５ｍｍである。また、上記凸部１９は、前記縁部８の内周の全部又は一部に設けるようにしてもよい。また、上記凸部１９は、全周に渡って、突出長さを同じとしても良いが、例えば、後側の連結縁部９ａと前側の連結縁部９ｃにおける突出長さに比べて、右側の連結縁部９ｂと左側の連結縁部９ｄにおける突出長さを長くし、開口部７の左右方向の間隔も調整するなど、場所によって、突出長さを変化させるようにしてもよい。
【符号の説明】
【００６４】
１      収納容器
２      容器本体
２ａ    後壁
２ｂ    連結部
３      天井蓋
３ａ    天板
３ｂ    側板
３ｃ    取っ手部
４      シート取出し口部
５      開閉蓋
５ａ    板部
５ｂ    連結板部
６      凹部
７      開口部
７ａ    左後側の長孔部
７ｂ    右後側の長孔部
７ｃ    右前側の長孔部
７ｄ    左前側の長孔部
７ｅ    中央開口部
８      縁部
９ａ    連結縁部
９ｂ    連結縁部
９ｃ    連結縁部
９ｄ    連結縁部
１０ａ  突出縁部
１０ｂ  突出縁部
１１ａ  中心軸線
１１ｂ  中心軸線
１１ｃ  中心軸線
１１ｄ  中心軸線
１２    点
１３    一方の仮想線
１４  他方の仮想線
１５ａ  縁部
１５ｂ  縁部
１５ｃ  縁部、
１５ｄ  縁部
１６    シート
１７    シート
１８    シート
１９    凸部
【図１】
0006517584.tif 000002
【図２】
0006517584.tif 000003
【図３】
0006517584.tif 000004
【図４】
0006517584.tif 000005
【図５】
0006517584.tif 000006
【図６】
0006517584.tif 000007
【図７】
0006517584.tif 000008
【図８】
0006517584.tif 000009
【図９】
0006517584.tif 000010
【図１０】
0006517584.tif 000011
【図１１】
0006517584.tif 000012
【図１２】
0006517584.tif 000013
【図１３】
0006517584.tif 000014
【図１４】
0006517584.tif 000015
【図１５】
0006517584.tif 000016
【図１６】
0006517584.tif 000017